(57)【特許請求の範囲】
【請求項１】
合成樹脂製の取手本体と、前記取手本体に装着される一対の取付部材とを具備し、
前記取手本体は、正面視において左右方向に延びる把持部と、前記把持部の前記左右方向の両端部に形成される一対の支持部とを備え、
前記一対の支持部は、前記左右方向の内側にむけて開放された開放部をそれぞれ備え、
前記一対の取付部材は、前記一対の開放部に対して、それぞれ前記左右方向に沿って内側からスライドして嵌り込んだ状態で、取付け対象にネジ固定されるためのボス部を備えることを特徴とする取手。
【請求項２】
合成樹脂製の取手本体と、前記取手本体に装着される一対の取付部材とを具備し、
前記取手本体は、正面視において左右方向に延びる把持部と、前記把持部の前記左右方向の両端部に形成される一対の支持部とを備え、
前記一対の支持部は、前記左右方向の内側にむけて開放された開放部をそれぞれ備え、
前記一対の取付部材は、前記一対の開放部に対して、それぞれ前記左右方向に沿って内側からスライドして嵌り込んだ状態で、取付け対象に固定されるように構成され、
前記一対の開放部は、それぞれの内面に本体側係合部を備え、
前記一対の取付部材は、それぞれの外面に取付側係合部を備え、
前記一対の開放部に前記一対の取付部材がそれぞれ嵌り込んだときに、前記本体側係合部と前記取付側係合部が係合するように構成されたことを特徴とする取手。
【請求項３】
前記本体側係合部と前記取付側係合部は、前記一対の開放部に前記一対の取付部材をそれぞれ嵌め込むときに、前記一対の取付部材のスライドをそれぞれガイドするように構成されたことを特徴とする請求項２に記載の取手。
【請求項４】
合成樹脂製の取手本体と、前記取手本体に装着される一対の取付部材とを具備し、
前記取手本体は、正面視において左右方向に延びる把持部と、前記把持部の前記左右方向の両端部に形成される一対の支持部とを備え、
前記一対の支持部は、前記左右方向の内側にむけて開放された開放部をそれぞれ備え、
前記一対の取付部材は、前記一対の開放部に対して、それぞれ前記左右方向に沿って内側からスライドして嵌り込んだ状態で、取付け対象に固定されるように構成され、
前記把持部は、前記取手本体の射出成形時にゲートが配置された溝部を備え、前記溝部は、前記把持部の背面側に設けた凹面の一部に位置することを特徴とする取手。
【請求項５】
前記開放部は、さらに背面側にむけて開放されていることを特徴とする請求項１〜４のいずれか一項に記載の取手。
【請求項６】
取手と、
前記取手が固定される扉本体とを具備し、
前記取手は、
合成樹脂製の取手本体と、前記取手本体に装着される一対の取付部材とを具備し、
前記取手本体は、正面視において左右方向に延びる把持部と、前記把持部の前記左右方向の両端部に形成される一対の支持部とを備え、
前記一対の支持部は、前記左右方向の内側にむけて開放された開放部をそれぞれ備え、
前記一対の取付部材は、前記一対の開放部に対して、それぞれ前記左右方向に沿って内側からスライドして嵌り込んだ状態で、取付け対象に固定されるように構成されたことを特徴とするグリル扉。
【請求項７】
前記取手と前記扉本体のいずれか一方が位置決め用の凸部を備え、他方が前記凸部に係合する位置決め用の凹部を備えることを特徴とする請求項６に記載のグリル扉。
【請求項８】
請求項６または７に記載のグリル扉と、
前記グリル扉が装着される調理器本体とを具備することを特徴とする加熱調理器。
【請求項９】
前記取手は、前斜め上方に傾斜した姿勢で、前記グリル扉の下端部に固定されることを特徴とする請求項８に記載の加熱調理器。
【発明の詳細な説明】
【技術分野】
【０００１】
本発明は、取手、グリル扉および加熱調理器に関する。
【背景技術】
【０００２】
特許文献１に記載された加熱調理器には、グリル庫の前面開口部を開閉するようにグリル扉が装着されている。グリル扉は、使用者が指先を引っ掛けてグリル扉を手前に引き出すための取手（把手）を備えている。
【０００３】
この取手は、グリル扉のほぼ下側半部を占める前壁部に、一体に成形された構造であるため、デザイン上の制約が大きい。
【先行技術文献】
【特許文献】
【０００４】
【特許文献１】特開２０１２−４２１０６号公報
【発明の概要】
【発明が解決しようとする課題】
【０００５】
取手のデザインの自由度を高めるには、取手を、取付け対象（扉本体）とは別体の樹脂成形品として形成することが望ましい。
【０００６】
しかし、合成樹脂製の取手を形成するにあたっては、強度とデザイン性を高水準で確保することが難しい。というのも、合成樹脂製の取手において強度を確保するためには、取手をある程度の厚みで成形することが要求されるが、一般的に樹脂成形品においては、厚みを有するほど、樹脂材料の収縮による肉痩せ等の問題が生じやすくなるからである。
【０００７】
本発明は、強度とデザイン性がともに確保されるように合成樹脂を用いて形成された取手、この取手を装着したグリル扉、および、このグリル扉を装着した加熱調理器を提供することを目的とする。
【課題を解決するための手段】
【０００８】
本発明に係る形態の取手は、合成樹脂製の取手本体と、前記取手本体に装着される一対の取付部材とを具備する。
【０００９】
前記取手本体は、正面視において左右方向に延びる把持部と、前記把持部の前記左右方向の両端部に形成される一対の支持部とを備える。
【００１０】
前記一対の支持部は、前記左右方向の内側にむけて開放された開放部をそれぞれ備える。
【００１１】
前記一対の取付部材は、前記一対の開放部に対して、それぞれ前記左右方向に沿って内側からスライドして嵌り込んだ状態で、取付け対象に固定されるように構成されたものである。
【００１２】
本発明に係る形態のグリル扉は、前記取手と、前記取手が固定される扉本体とを具備する。
【００１３】
本発明に係る形態の加熱調理器は、前記グリル扉と、前記グリル扉が装着される調理器本体とを具備する。
【発明の効果】
【００１４】
本発明は、強度とデザイン性がともに確保されるように合成樹脂を用いて形成された取手、この取手を装着したグリル扉、および、このグリル扉を装着した加熱調理器を提供することができるという効果を奏する。
【図面の簡単な説明】
【００１５】
【図１】一実施形態の加熱調理器を示す斜視図である。
【図２】一実施形態のグリル扉を示す正面図である。
【図３】図２のＡ−Ａ線断面図である。
【図４】一実施形態のグリル扉が備える扉本体を示す正面図である。
【図５】一実施形態の取手を示す斜視図である。
【図６】一実施形態の取手を示す分解斜視図である。
【図７】一実施形態の取手が備える把持部を示す斜視図である。
【図８】図７のＢ−Ｂ線断面図である。
【図９】一実施形態の取手が備える取付部材を示す斜視図である。
【図１０】一実施形態の取手が備える取付部材を示す側面図である。
【発明を実施するための形態】
【００１６】
図１には、一実施形態の取手７を備えた加熱調理器９を示している。
【００１７】
加熱調理器９は、グリル庫９０１を内蔵する調理器本体９０と、グリル庫９０１を開閉することのできるグリル扉８とを備える。グリル扉８の主体部をなす扉本体８０に、本実施形態の取手７が固定される。
【００１８】
本文中で用いる各方向は、加熱調理器９が設置された状態を基準とする。加熱調理器９の調理器本体９０に対してグリル扉８が位置する方向（グリル扉８が引き出される方向）が前方向であり、この反対方向が後方向である。前後方向と上下方向に直交する方向が、左右方向である。
【００１９】
図中に示す矢印Ｄ１が前方向を示し、矢印Ｄ２が後方向、矢印Ｄ３が上方向、矢印Ｄ４が下方向、矢印Ｄ５が左方向、矢印Ｄ６が右方向を示す。
【００２０】
まず、加熱調理器９全体の構造について説明する。
【００２１】
加熱調理器９の調理器本体９０は、グリル機能付きのガスコンロである。調理器本体９０は、左右方向の中央にグリル庫９０１を備え、上部に天板９０２を備える。天板９０２には、複数のこんろバーナ９０３が配置される。
【００２２】
本実施形態の調理器本体９０は、ビルトイン型のガスコンロであるが、グリル扉８で開閉されるグリル庫９０１を備えるものであれば、他の調理器（電気こんろ、電磁調理器、テーブルこんろ、こんろ部を備えないグリル調理器等）でもよく、特に限定されない。
【００２３】
グリル扉８は、前方に引き出し自在となるように、レール等を介して調理器本体９０にスライド自在に装着される。グリル扉８が前方に引き出されることでグリル庫９０１が開かれ、グリル扉８が後方に戻されることで、扉本体８０によってグリル庫９０１の前方開口が塞がれる。
【００２４】
本実施形態の取手７は、前斜め上方に傾斜した（前斜め上方にむけて突出した）姿勢で、グリル扉８の扉本体８０の下端部に固定される。取手７の前記姿勢は、より詳細には、取手７が備える後述の把持部１０の正面壁部１０４と、同じく取手７が備える後述の各支持部１１の正面壁部１１４とが、前斜め上方にむけて延びるように傾斜した姿勢である。
【００２５】
取手７は、背面側に（後方に）突出する複数のボス部２１を備えており、これら複数のボス部２１を、扉本体８０の前面下端部に形成した複数の穴８０１（図４参照）にそれぞれ挿入し、図３に示すように、扉本体８０の背面側から各ボス部２１内にネジ具８１を締め付けることで、扉本体８０に取手７がネジ固定される。取手７を扉本体８０に固定する構造については、改めて詳述する。
【００２６】
グリル扉８に固定された取手７の下端縁のラインは、グリル扉８の下端縁のラインと一致または略一致し、ひいては、調理器本体９０の下端縁のラインと一致または略一致する。
【００２７】
次に、本実施形態の取手７の構造について、図５〜図１０に基づいて詳述する。
【００２８】
図５や図６に示すように、本実施形態の取手７は、一方向に長く成形された合成樹脂製の取手本体１と、取手本体１の前記一方向の両端部に装着される一対の取付部材２とを具備する。
【００２９】
取手７の説明で用いる各方向も、取手７が設置された状態（つまり加熱調理器９が設置された状態）を基準とする。したがって、前記一方向は左右方向であり、一対の取付部材２は、取手本体１の左右方向の両端部に装着される。
【００３０】
図７にも示すように、取手本体１は、左右方向に沿って延びるように細長く成形された把持部１０と、把持部１０の左右方向の両端部分に成形された一対の支持部１１とを備える。
【００３１】
把持部１０の下部には、使用者が下方から指先を引っ掛けることのできる凹面１０１を設けている（図５、図６等参照）。凹面１０１は、把持部１０の左右方向の全域に亘って、左右方向から視て断面逆Ｕ字状に成形されている。
【００３２】
さらに把持部１０は、取手本体１の射出成形時にゲート（図示略）が配置された溝部１０２と、使用者の指先の引っ掛かりを向上させるための垂下片１０３とを備える。
【００３３】
図５、図６に示すように、溝部１０２は、把持部１０が背面側に備える凹面１０１の左右方向の中央部分が一段凹んだ形状である。溝部１０２は、凹面１０１の左右方向の中央部分のうち、頂部（最も上側の部分）から後端部にかけての領域に、前後方向に長く形成される。本実施形態では、溝部１０２の頂部（最も前側の部分）にゲート痕が残存する。
【００３４】
垂下片１０３は、把持部１０が備える凹面１０１の前端縁部から、下方に延びるように形成される。
【００３５】
図１−図３に示すように、一対の支持部１１は、取手本体１をグリル扉８に固定したときに、扉本体８０の前面に当接する部分である。
【００３６】
取手本体１の支持部１１の背面には、位置決め用の凸部６１が形成されている。位置決め用の凸部６１は、左右方向に一直線状の外形を有する（図５等参照）。位置決め用の凸部６１は、扉本体８０において左右方向に一直線状に設けた位置決め用の凹部６２（図４参照）に対して、一対一で嵌り込む部分である。凸部６１と凹部６２が嵌り合うことで、取手７の位置決めが確実になされる。
【００３７】
本実施形態の凸部６１は、一直線状に所定の長さを有する寸法形状であるから、取手７の位置決めの安定性がより高められる。位置決めの精度がそれほど要求されない場合等は、凸部６１を半球等の他の形状に設けることも可能である。
【００３８】
なお、位置決め用の凸部６１を、一対の取付部材２に設けることも可能である。また、位置決め用の凸部６１を扉本体８０側に設け、凸部６１が嵌り込む凹部６２を取手７側（支持部１１または取付部材２）に設けることも可能である。
【００３９】
支持部１１の前端部は、隣接する把持部１０の前端部と面一である。支持部１１の後端部は、把持部１０の後端部よりも、後方に突出して位置する。取手７を扉本体８０に固定したときに、把持部１０と扉本体８０との間には、左右方向に長い隙間８２（図２参照）が形成される。
【００４０】
本実施形態の取手本体１では、樹脂成形後の取手本体１に肉痩せやヒケが生じることを抑えるために、取手本体１のうち左右両側の端部をなす一対の支持部１１に、それぞれ肉盗みとしても機能する開放部１２を形成している（図６、図７参照）。
【００４１】
開放部１２は、射出成形時にスライド金型を用いて肉盗みされた空洞部分であり、この空洞部分は、背面側と左右方向の内側とにむけて、開放されている。つまり、左側の支持部１１の開放部１２は、背面側と右側にむけて開放され、右側の支持部１１の開放部１２は、背面側と左側にむけて開放されている。
【００４２】
開放部１２の内面１２１は、隣接する把持部１０の凹面１０１に対して、左右方向に滑らかに連続する（図６参照）。内面１２１には、左右方向に長い凹溝状の本体側係合部１５が、複数（本実施形態では一対）形成されている。本体側係合部１５は、後述の取付側係合部２５に一対一で係合する部分である。
【００４３】
本体側係合部１５は、開放部１２の内面１２１において、左右方向の内側の端縁から左右方向に沿って一直線状に形成される。
【００４４】
つまり、左側の開放部１２の内面１２１においては、内面１２１の右端縁から左方向にむけて一直線状に、本体側係合部１５が形成される。右側の開放部１２の内面１２１においては、内面１２１の左端縁から右方向にむけて一直線状に、本体側係合部１５が形成される。
【００４５】
また、支持部１１は、開放部１２の背面側を一部塞ぐように形成された外壁１１１と、外壁１１１の前方に位置する仕切り壁１１２とを備える（図８参照）。外壁１１１は、厚み方向（前後方向）に貫通した窓１１３を備える。
【００４６】
開放部１２の内部空間のうち、左右方向の外側の空間領域は、外壁１１１と仕切り壁１１２に仕切られることよって、袋状に形成される。
【００４７】
一対の取付部材２は、一対の開放部１２の空洞に対して、一対一で嵌り込む寸法形状を有する。取付部材２は、背面側に突出する一対のボス部２１を備える。取付部材２は、取手本体１と同一の樹脂材料を用いて成形されている。取付部材２が取手本体１と同一の樹脂材料で成形することで、組み立て精度をより高めることができるが、取付部材２を取手本体１とは別の材料（金属等）で成形することも可能である。
【００４８】
図示はしないが、開放部１２を、支持部１１の左右方向の内側にだけ開放された形状（背面側を閉じた形状）とすることも可能である。この場合、取付部材２からボス部２１を突出させる代わりに、支持部１１の背面側の壁に貫通孔を設け、取付部材２の背面側のうち該貫通孔と連通する箇所にねじ孔を設けることで、取手７と扉本体８０のネジ固定が可能となる。
【００４９】
取付部材２の外面２０には、左右方向に長い突リブ状の取付側係合部２５が、複数（本実施形態では上下に一対）形成される（図９、図１０参照）。
【００５０】
取付側係合部２５は、取付部材２の外面２０において、左右方向の内側の端縁から左右方向に沿って一直線状に形成される。つまり、左側の取付部材２の外面２０においては、外面２０の右端縁から左方向にむけて一直線状に、取付側係合部２５が形成される。右側の取付部材２の外面２０においては、外面２０の左端縁から右方向にむけて一直線状に、取付側係合部２５が形成される。
【００５１】
取付部材２の左右方向の外側の端部には、左右方向に沿って一直線状に凹むように切り込み２２が形成されている。つまり、左側の取付部材２の左端部には、右側にむけて凹んだ切り込み２２が形成されている。右側の取付部材２の右端部には、左側にむけて凹んだ切り込み２２が形成されている。
【００５２】
前記構成を備える一対の取付部材２を、取手本体１に装着することで、本実施形態の取手７が組み立てられる。
【００５３】
具体的には、図６中に破線の矢印で示すように、取手本体１に形成した開放部１２内に、対応する取付部材２を、開放部１２の左右方向の内側の開放部分を通じて挿入する。このとき、本体側係合部１５に対して取付側係合部２５がスライド自在に引っ掛かることで、一対の取付部材２の左右方向のスライドがガイドされる。
【００５４】
開放部１２に取付部材２が嵌り込んだときに、対応する本体側係合部１５と取付側係合部２５がぴったりと係合し、この係合によって、取手本体１と取付部材２が前後方向に抜け止めされる。
【００５５】
加えて、開放部１２の袋状の内部空間に、取付部材２の端部が嵌り込むことによっても、取手本体１と取付部材２が前後方向に抜け止めされる。具体的には、開放部１２の外壁１１１が取付部材２の端部に当接し、開放部１２の仕切り壁１１２が取付部材２の切り込み２２に嵌り込んだ状態で、取手本体１と取付部材２が前後方向に抜け止めされる。
【００５６】
取付部材２が開放部１２に嵌り込んだ状態で、取付部材２が備える一対のボス部２１は、開放部１２の背面側の開放部分を通じて、背面側に大きく突出する。
【００５７】
このようにして組み立てた取手７を、前述したように扉本体８０にネジ固定することで、扉本体８０の下端部から斜め前方に取手７が立ち上がった構造の、デザイン性の高いグリル扉８が得られ、ひいては、このグリル扉８を備える加熱調理器９が得られる。
【００５８】
なお、取手７の固定箇所は、グリル扉８の下端部に限定されるものではなく、たとえばグリル扉８の上端部から前斜め上方に立ち上がるように取手７を固定することも可能であるし、さらに他の箇所に取手７を固定することも可能である。
【００５９】
以上、添付図面に基づいて説明したように、本実施形態の取手７は、合成樹脂製の取手本体１と、取手本体１に装着される一対の取付部材２とを具備する。取手本体１は、正面視において（前方から視たときに）左右方向に延びる把持部１０と、把持部１０の左右方向の両端部に形成される一対の支持部１１とを備える。一対の支持部１１は、背面側と左右方向の内側とにむけて開放された開放部１２をそれぞれ備える。一対の取付部材２は、一対の開放部１２に対して、それぞれ左右方向に沿って内側からスライドして嵌り込んだ状態で、取付け対象（扉本体８０）に固定される。
【００６０】
このように、本実施形態の取手７は、取手本体１と一対の取付部材２とを別々に（三部品で）成形し、取手本体１に一対の取付部材２を嵌め込んだうえで、各取付部材２を取付け対象に固定する構造である。合成樹脂製である取手本体１には、正面側に露出することを避けた箇所（使用者が視認しにくい箇所）に開放部１２を設けており、成形後の取手本体１に肉痩せやひけが生じることが、肉盗みとしても機能する開放部１２によって抑制される。そして、開放部１２に取付部材２を嵌め込むことで、開放部１２の空洞を埋めて強度を保つことができる。使用者にとって、開放部１２に嵌め込まれた取付部材２は視認困難な箇所にあるため、取手７はあたかも一部材のように見える。したがって、本実施形態の取手７によれば、十分な強度を確保しながら高いデザイン性が得ることが可能となる。
【００６１】
本実施形態の取手７において、開放部１２は、さらに背面側にむけて開放されている。
【００６２】
そのため、本実施形態の取手７では、取付部材２をスライドさせて開放部１２に嵌め込む際に、取付部材２の背面側の構造（ボス部２１等）がスライド移動の邪魔になることが防止される。
【００６３】
さらに本実施形態の取手７において、一対の取付部材２は、取付け対象（扉本体８０）にネジ固定されるためのボス部２１を備える。
【００６４】
樹脂成形品において、ボス形状の根元部分にはある程度の厚みが必要とされるため、ボス形状の根本部分やその近傍で、特に肉痩せが発生しやすいのだが、本実施形態の取手７では、ネジ固定用のボス部２１を取付部材２側に設けているので、取付部材２に肉痩せが生じても使用者にとっては視認が困難であり、外観の低下が抑えられる。
【００６５】
さらに本実施形態の取手７において、一対の開放部１２は、それぞれの内面１２１に本体側係合部１５を備える。一対の取付部材２は、それぞれの外面２０に取付側係合部２５を備える。一対の開放部１２に一対の取付部材２がそれぞれ嵌り込んだときに、本体側係合部１５と取付側係合部２５が係合するように構成されている。
【００６６】
そのため、本実施形態の取手７においては、取手本体１に対してこれを前方に引っ張る強い力が働いても、取付け対象（グリル扉８）に固定された各取付部材２から取手本体１が外れることは、前記係合によって防止される。
【００６７】
さらに本実施形態の取手７において、本体側係合部１５と取付側係合部２５は、一対の開放部１２に一対の取付部材２をそれぞれ嵌め込むときに、一対の取付部材２のスライドをそれぞれガイドするように構成されている。
【００６８】
このように、本実施形態の取手７では、本体側係合部１５と取付側係合部２５を備えることで、強度が向上することに加えて、組立性も向上する。
【００６９】
さらに本実施形態の取手７において、把持部１０は、取手本体１の射出成形時にゲートが配置された溝部１０２を備える。溝部１０２は、把持部１０の背面側に設けた凹面１０１の一部に位置する。
【００７０】
本実施形態の取手７によれば、溝部１０２やこれに残存するゲート痕が、使用者に視認されにくい凹面１０１に位置するので、外観の低下が抑えられる。
【００７１】
また、本実施形態のグリル扉８は、前記構成を具備する取手７と、取手７が固定される扉本体８０とを具備する。
【００７２】
これにより、強度とデザイン性をともに確保した取手７を備えるグリル扉８を、提供することが可能となる。なお、本実施形態の取手７は、グリル扉８以外の他の取付け対象に固定することも可能である。
【００７３】
さらに本実施形態のグリル扉８においては、取手７と扉本体８０のいずれか一方が位置決め用の凸部６１を備え、他方が凸部６１に係合する位置決め用の凹部６２を備える。
【００７４】
これにより、簡単な取付作業で、取手７と扉本体８０の位置をぴったりと合わせることが可能となる。
【００７５】
また、本実施形態の加熱調理器９は、前記構成を具備するグリル扉８と、グリル扉８が装着される調理器本体９０とを具備する。
【００７６】
これにより、グリル扉８を備える加熱調理器９において、グリル扉８の取手７の強度とデザイン性をともに確保することが可能となる。
【００７７】
さらに本実施形態の加熱調理器９において、取手７は、前斜め上方に傾斜した姿勢で、グリル扉８の下端部に固定される。
【００７８】
使用者が調理器本体９０の前方に起立した状態において、前斜め上方にむけて傾斜した姿勢にある取手７はその全体が薄く見えるため、デザイン性に優れた加熱調理器９として商品価値が高められる。
【００７９】
以上、実施形態について説明したが、取手、グリル扉および加熱調理器は、前記した実施形態に限定されない。たとえば、支持部は、少なくとも取手の両端部に設けていればよく、追加で他の箇所（支持部の中間部分等）に設けることも可能である。その他の構成についても、本発明の技術的思想の範囲内で、適宜の設計変更を行うことが可能である。
【符号の説明】
【００８０】
１      取手本体
１０    把持部
１０１  凹面
１０２  溝部
１１    支持部
１２    開放部
１２１  内面
１５    本体側係合部
２      取付部材
２０    外面
２１    ボス部
２５    取付側係合部
６１    凸部
６２    凹部
７      取手
８      グリル扉
８０    扉本体
９      加熱調理器
９０    調理器本体
【図１】
0006535235.tif 000002
【図２】
0006535235.tif 000003
【図３】
0006535235.tif 000004
【図４】
0006535235.tif 000005
【図５】
0006535235.tif 000006
【図６】
0006535235.tif 000007
【図７】
0006535235.tif 000008
【図８】
0006535235.tif 000009
【図９】
0006535235.tif 000010
【図１０】
0006535235.tif 000011